(57)【要約】【課題】ウイルス感染の警告自体を、感染の可能性を持つネットワーク上の端末ではなく、別のネットワークと携帯端末を利用することにより、ウイルス感染通知を早期に安全に行い、ウイルス感染の広がりを未然に防ぎ、セキュリティ強化を図るシステム及び方法の提供。【解決手段】ＬＡＮ３０に接続されるＰＣ端末２１、２２へのウイルスの感染を検出するウイルス監視機能１１と、ウイルスに感染したＰＣ端末を検出した際、ウイルス感染の警告メッセージを作成して、前記ウイルス感染の警告メッセージを、ＬＡＮ及び端末とは分離した別の通信ネットワークである公衆電話網４０を介して、ＰＣ端末の管理者のそれぞれの携帯端末５１、５２へ通知する警告メッセージ作成／発信機能１２を有するウイルス監視用ＰＣ端末１０をＬＡＮ３０に備えている。【選択図】図２
2004164270.tif 000002
【特許請求の範囲】
【請求項１】
コンピュータネットワークに通信接続する端末のウイルス感染を検出し警告／通知を行うシステムであって、
前記端末の管理者が所持する携帯端末と、
前記コンピュータネットワークに接続されたウイルス監視端末と、
を有し、
前記ウイルス監視端末が、
前記コンピュータネットワークに接続された端末にウイルスが感染しているか否かを監視するウイルス監視手段と、
前記ウイルス監視手段でウイルスに感染した端末を検出した際、ウイルス感染の警告メッセージを作成し、前記ウイルス感染の警告メッセージを、前記コンピュータネットワーク及び前記端末とは分離した別の通信ネットワークを介して、監視対象下の前記端末の管理者がそれぞれ所持する前記携帯端末へ通知する手段と、
を備えている、ことを特徴とするウイルス感染警告通知システム。
【請求項２】
前記ウイルス監視端末は、ウイルスに感染した少なくとも１つの端末を検出した際、前記別の通信ネットワークを介して、ウイルス未感染の端末を含む監視対象下の全ての端末の管理者のそれぞれの前記携帯端末に対して、前記ウイルス感染の警告メッセージを通知する、ことを特徴とする請求項１記載のウイルス感染警告通知システム。
【請求項３】
前記携帯端末に前記ウイルス監視端末からウイルス感染の警告メッセージの通知を受けた場合、前記携帯電話を所持する管理者が管理する前記端末は、前記コンピュータネットワークから切り離される、ことを特徴とする請求項１記載のウイルス感染警告通知システム。
【請求項４】
前記ウイルス監視端末は、前記端末が感染したウイルスを分析し、前記ウイルスの種類、ウイルスの予防策、及びウイルスの駆除方法のうちの少なくともいずれか一つ又は全ての情報を取得した場合、前記情報を基に、ウイルス通知メッセージを作成し、前記ウイルス通知メッセージを、前記別の通信ネットワークを介して、管理対象下の前記端末の管理者がそれぞれ所持する前記携帯端末へ送信する手段を備えている、ことを特徴とする請求項１記載のウイルス感染警告通知システム。
【請求項５】
前記ウイルス監視端末は、前記ウイルス通知メッセージを、ウイルス未感染の端末を含む監視対象下の全ての端末の管理者がそれぞれ所持する前記携帯端末に対して通知する、ことを特徴とする請求項４記載のウイルス感染警告通知システム。
【請求項６】
前記端末が接続される前記コンピュータネットワークが、ＬＡＮ（ローカルエリアネットワーク）からなり、
前記コンピュータネットワーク及び端末とは分離した前記別の通信ネットワークが、公衆回線網からなり、
前記ウイルス監視端末は、前記ＬＡＮに接続されるとともに、前記公衆回線網を介して前記携帯端末と通信接続する手段を備えている、ことを特徴とする請求項１乃至５のいずれか一に記載のウイルス感染警告通知システム。
【請求項７】
コンピュータネットワークに通信接続する端末へのウイルスの感染を検出するウイルス監視機能を具備し、前記端末とともに前記コンピュータネットワークに接続されるウイルス監視端末を用意し、
前記ウイルス監視端末が、前記コンピュータネットワークに接続された前記端末がウイルスに感染しているか否かを監視するステップと、
前記ウイルス監視端末は、ウイルスに感染した端末を検出した際、ウイルス感染の警告メッセージを作成し、作成した前記ウイルス感染の警告メッセージを、前記コンピュータネットワーク及び端末とは分離した別の通信ネットワークを介して、前記端末の管理者が所持する携帯端末へ通知するステップと、
を含む、ことを特徴とするウイルス感染警告通知方法。
【請求項８】
前記ウイルス監視端末は、ウイルスに感染した少なくとも１つの端末を検出した際、前記別の通信ネットワークを介して、ウイルス未感染の端末を含む監視対象下の全ての端末の管理者のそれぞれの前記携帯端末に対して、前記ウイルス感染の警告メッセージを通知する、ことを特徴とする請求項７記載のウイルス感染警告通知方法。
【請求項９】
前記携帯端末に、前記ウイルス監視端末からウイルス感染の警告メッセージの通知を受けた場合、前記携帯電話を所持する管理者が管理する前記端末は前記コンピュータネットワークから切り離される、ことを特徴とする請求項７記載のウイルス感染警告通知方法。
【請求項１０】
前記ウイルス監視端末は、前記端末が感染したウイルスを分析し、前記ウイルスの種類、ウイルスの予防策、及びウイルスの駆除方法のうち少なくともいずれか一つ又は全ての情報を取得した場合、前記情報を基に、ウイルス通知メッセージを作成し、前記ウイルス通知メッセージを前記別の通信ネットワークを介して、前記端末の管理者が所持する携帯端末へ送信するステップを含む、ことを特徴とする請求項７記載のウイルス感染警告通知方法。
【請求項１１】
前記ウイルス監視端末は、前記ウイルス通知メッセージを、ウイルス未感染の端末を含む監視対象下の全ての端末の管理者のそれぞれの携帯端末に対して通知する、ことを特徴とする請求項１０記載のウイルス感染警告通知方法。
【請求項１２】
前記端末が接続される前記コンピュータネットワークが、ＬＡＮ（ローカルエリアネットワーク）からなり、
前記コンピュータネットワーク及び端末とは分離した前記別の通信ネットワークが、公衆回線網からなる、ことを特徴とする請求項７乃至１１のいずれか一に記載のウイルス感染警告通知方法。
【請求項１３】
コンピュータネットワークに接続されるウイルス監視端末装置であって、
前記コンピュータネットワークと通信接続する端末のウイルス感染を検出するウイルス監視手段と、
ウイルスに感染した端末を検出した際、ウイルス感染の警告メッセージを作成し、前記ウイルス感染の警告メッセージを、前記コンピュータネットワーク及び前記端末とは分離した別の通信ネットワークを介して、監視対象下の前記端末の管理者が所持する携帯端末へ通知する手段と、
を備えている、ことを特徴とするウイルス監視端末装置。
【請求項１４】
ウイルスに感染した少なくとも１つの端末を検出した際、前記別の通信ネットワークを介して、ウイルス未感染の端末を含む監視対象下の全ての端末の管理者のそれぞれの前記携帯端末に対して、前記ウイルス感染の警告メッセージを通知する手段を備えている、ことを特徴とする請求項１３記載のウイルス監視端末装置。
【請求項１５】
前記端末が感染したウイルスを分析し、前記ウイルスの種類、ウイルスの予防策、及びウイルスの駆除方法のうちの少なくともいずれか一つ又は全ての情報を取得した場合、前記情報を基に、ウイルス通知メッセージを作成し、前記ウイルス通知メッセージを、前記別の通信ネットワークを介して、前記端末の管理者が所持する携帯端末へ送信する手段を備えている、ことを特徴とする請求項１３記載のウイルス監視端末装置。
【請求項１６】
前記ウイルス通知メッセージを、ウイルス未感染の端末を含む監視対象下の全ての端末の管理者のそれぞれの前記携帯端末に対して通知する、ことを特徴とする請求項１５記載のウイルス監視端末装置。
【請求項１７】
前記端末が接続される前記コンピュータネットワークが、ＬＡＮ（ローカルエリアネットワーク）からなり、
前記別の通信ネットワークが、公衆回線網からなり、
前記ＬＡＮと通信接続する手段と、前記公衆回線網を介して前記携帯端末と通信接続する手段と、を備えている、ことを特徴とする請求項１３乃至１６のいずれか一に記載のウイルス監視端末装置。
【発明の詳細な説明】
【０００１】
【発明の属する技術分野】
本発明は、ネットワークシステムに関し、ウイルス感染警告通知システムと方法に関する。
【０００２】
【従来の技術】
コンピュータネットワークと通信接続するＰＣ（パーソナルコンピュータ）等の端末のウイルス感染の警告を行う従来の通知方法としては、ユーザ各自のＰＣで電子メールを受信するものや、ユーザ各自のＰＣでウイルス関連のＷｅｂページを閲覧するものが利用されている。
【０００３】
ウイルス監視、対策に関して以下の刊行物も参照される。すなわち最新バージョンのウイルス駆除ソフトウエアを早期に適用し、適正に運用するシステム、方法が知られている（例えば特許文献１）。またサーバ側のウイルス対策管理プログラムが自動的にエージェント機能を持つウイルスパトロールソフトウエアをクライアント装置に派遣して実行し処理結果を報告することで、ウイルス対策の自動実行を可能としたシステムも知られている（例えば特許文献２）。またサーバが、クライアントＰＣでのウイルスヘルスチェックツールの実行結果の一覧表を作成し、ＬＡＮを構成するクライアント端末の設置場所や台数に関係なく、管理者は、編集結果を確認することでウイルスチェックの実行結果を一元管理する方法が知られている（例えば特許文献３）。さらにＬＡＮに接続する監視対象クライアントのウイルスチェックを監視サーバから実行し監視するシステムも知られている（例えば特許文献４）。
【０００４】
【特許文献１】
特開２００１−１５９９７５号公報（第５頁、第１図）
【特許文献２】
特開２００２−２２２０９４号公報（第４頁、第１図）
【特許文献３】
特開平１１−２３２０９３号公報（第３頁、第１図）
【特許文献３】
特開平１１−３２７８９７号公報（第３−４頁、第１図）
【０００５】
また本願出願時未公開の先行出願（特願２００２−２４３４６９号）には、ユーザ端末でウイルスを検出した場合、ユーザ端末はサービス提供サーバにウイルスを検出したことをユーザＩＤとともに通知し、サービス提供サーバの遠隔制御部は、ユーザＩＤからユーザ情報ＤＢよりユーザ氏名を取得し、ユーザ端末のＩＰアドレスを付したウイルス処理選択用Ｗｅｂページを作成し、遠隔制御部は、ウイルス検出メールをユーザ携帯端末に送信し、ウイルス検出メールを受け取ったユーザは、ウイルス処理選択用Ｗｅｂページにおいて希望する処置を選択し、遠隔制御部は、処置内容に対応するコマンドを該当するユーザ端末に送信し、電源を切る等の所定の処理を実施するようにした構成が提案されている。
【０００６】
【発明が解決しようとする課題】
上述した従来のシステムでは、各自がウイルスの警告通知を知り得るためには、何らかのネットワークに接続されているＰＣが前提とされている。このため、ＰＣは、警告通知のメール受信と同時に他のメールの受信から、ウイルスに感染する可能性がある。
【０００７】
また、自ＰＣのウイルス感染があった場合は、警告通知のメール受信と同時にネットワーク上の他ＰＣへ感染メールを送信し、感染を広げてしまう可能性もある。
【０００８】
したがって、本発明の目的は、ウイルス感染の警告自体を、感染の可能性を持つコンピュータネットワーク上の端末とは異なり、別のネットワークと携帯端末を利用することにより、ウイルス感染通知を早期に安全に行い、ウイルス感染の広がりを未然に防ぎ、セキュリティ強化を図るシステム、装置及び方法を提供することにある。
【０００９】
【課題を解決するための手段】
前記目的を達成する本発明の１つのアスペクトに係るウイルス感染警告通知システムによれば、コンピュータネットワークに通信接続する端末のウイルス感染を検出し警告／通知を行うシステムであって、前記端末の管理者が所持する携帯端末と、前記コンピュータネットワークに接続されたウイルス監視端末と、を有し、前記ウイルス監視端末が、前記コンピュータネットワークに接続された端末にウイルスが感染しているか否かを監視するウイルス監視手段と、前記ウイルス監視手段でウイルスに感染した端末を検出した際、ウイルス感染の警告メッセージを作成し、前記ウイルス感染の警告メッセージを、前記コンピュータネットワーク及び前記端末とは分離した別の通信ネットワークを介して、監視対象下の前記端末の管理者がそれぞれ所持する前記携帯端末へ通知する手段と、を備えている。本発明によれば、前記ウイルス監視端末は、ウイルスに感染した少なくとも１つの端末を検出した際、前記別の通信ネットワークを介して、ウイルス未感染の端末を含む監視対象下の全ての端末の管理者のそれぞれの携帯端末に対して、前記ウイルス感染の警告メッセージを通知する。
【００１０】
本発明において、前記携帯端末に、前記ウイルス監視端末からウイルス感染の警告メッセージの通知を受けた場合、前記端末が、前記コンピュータネットワークから切り離される。
【００１１】
本発明において、前記ウイルス監視端末は、前記端末が感染したウイルスを分析し、前記ウイルスの種類、ウイルスの予防策、ウイルスの駆除方法のうち少なくともいずれか一つ又は全ての情報を取得した場合、前記情報を基に、ウイルス通知メッセージを作成し、前記ウイルス通知メッセージを前記別の通信ネットワークを介して、前記端末の管理者が所持する携帯端末へ送信する手段を備えている。本発明によれば、前記ウイルス監視端末は、前記ウイルス通知メッセージを、ウイルス未感染の端末を含む監視対象下の全ての端末の管理者の携帯端末に対して通知するように構成される。
【００１２】
本発明において、前記コンピュータネットワークはＬＡＮよりなり、前記別の通信ネットワークは、公衆回線網からなる。
【００１３】
本発明の他のアスペクトに係る方法は、コンピュータネットワークに通信接続する端末へのウイルスの感染を検出するウイルス監視機能を具備したウイルス監視端末を、前記コンピュータネットワークに接続しておき、前記ウイルス監視端末でウイルスに感染された端末を検出するステップと、前記ウイルス監視端末は、ウイルスに感染した端末を検出した際、ウイルス感染の警告メッセージを作成し、前記ウイルス感染の警告メッセージを、前記コンピュータネットワーク及び端末とは分離した別の通信ネットワークを介して、前記端末の管理者が所持する携帯端末へ通知するステップと、を含む。
【００１４】
本発明に係る方法において、前記ウイルス監視端末は、前記端末が感染したウイルスを分析し、前記ウイルスの種類、ウイルスの予防策、ウイルスの駆除方法の少なくともいずれか一つ又は全ての情報を取得した場合、前記情報を基に、ウイルス通知メッセージを作成し、前記ウイルス通知メッセージを前記別の通信ネットワークを介して、前記端末の管理者が所持する携帯端末へ送信するステップを有するようにしてもよい。
【００１５】
本発明の他のアスペクトに係る装置によれば、コンピュータネットワークに接続されるウイルス監視端末装置であって、前記コンピュータネットワークと通信接続する端末のウイルス感染を検出するウイルス監視手段と、ウイルスに感染した端末を検出した際、ウイルス感染の警告メッセージを作成し、前記ウイルス感染の警告メッセージを、前記コンピュータネットワーク及び前記端末とは分離した別の通信ネットワークを介して、監視対象下の前記端末の管理者が所持する携帯端末へ通知する手段と、を備えている。
【００１６】
【発明の実施の形態】
本発明の実施の形態について説明する。本発明において、ウイルスの監視は、コンピュータネットワーク（ＬＡＮ）上で行い、警告と通知を公衆回線と携帯端末を用いて行っている。まず、本発明の実施の形態におけるウイルスの監視について説明する。
【００１７】
本発明は、ＬＡＮ（３０）に接続される端末（２１、２２）へのウイルスの感染を検出するウイルス監視機能（１１）を有するウイルス監視用端末（１０）を、ＬＡＮ（３０）上に設置し、ＬＡＮ（３０）上の端末（２１、２２）がウイルスに感染していないかの監視を行う。ウイルス監視用端末（１０）によるウイルスの監視は、公知技術を用いて行う。
【００１８】
本発明の実施の形態における警告について説明する。ウイルス監視端末（１０）は、ＬＡＮ（３０）上の複数の端末（２１、２２）の少なくとも１つにウイルスを発見した場合、ウイルス監視端末（１０）は、ウイルス感染の警告メッセージを作成し、該ウイルス感染の警告メッセージを、ＬＡＮ（３０）及び端末（２１、２２）とは分離した別の通信ネットワークである公衆回線網（４０）を介して、端末（２１、２２）の管理者のそれぞれの携帯端末（５１、５２）へ通知する手段と、を有する。
【００１９】
警告メッセージを受信した各端末（２１、２２）の管理者は、端末に接続するＬＡＮケーブルを外す等して、当該端末をＬＡＮ（３０）上から切り離す。
【００２０】
本発明の実施の形態におけるウイルス情報の通知について説明する。ウイルス監視端末（１０）は、発見したウイルスの種類を調査し、予防策や駆除方法の情報を取得し、得られた情報を基に、ウイルス監視端末（１０）上で、予防／駆除情報通知メッセージを作成し、ＬＡＮ（３０）及び端末（２１、２２）とは分離した別の通信ネットワークである公衆回線網４０を介して、端末の管理者のそれぞれの携帯端末（５１、５２）に、通知メッセージを配信する。
【００２１】
各端末の管理者（ユーザ）は、それぞれの携帯端末（５１、５２）で、通知メッセージを受信し、端末（２１、２２）のウイルスチェック、ウイルス予防策の投入、ウイルスが発見された場合にはウイルス駆除を行う。
【００２２】
【実施例】
上記した本発明の実施の形態についてさらに詳細に説明すべく、本発明の実施例について図面を参照して説明する。
【００２３】
図１は、本発明の一実施例のシステムにおけるウイルス感染の検出時の動作を説明するための図である。図２は、本発明の一実施例のシステムにおけるウイルス警告の動作を説明するための図である。図３は、本発明の一実施例のシステムにおけるウイルス情報通知の動作を説明するための図である。
【００２４】
図１を参照すると、ＬＡＮ（ローカルエリアネットワーク）３０上に、複数のＰＣ（パーソナルコンピュータ）２１、２２が接続されている。ＬＡＮ３０は不図示のブリッジ、ＨＵＢ等を介して他のＬＡＮと接続してもよいし、ＩＰルータ等を介してＩＰ（Ｉｎｔｅｒｎｅｔ  Ｐｒｏｔｏｃｏｌ）網等と接続する構成としてもよい。
【００２５】
ＰＣ２１、２２のの管理者（ユーザ）はＸ、Ｙで、それぞれ携帯端末５１、５２を所持している。携帯端末５１、５２は、常時、連絡可能な状態とする。
【００２６】
ウイルス監視端末として機能する監視用ＰＣ１０は、ＬＡＮ３０上に設置されている。
【００２７】
本実施例では、管理者（ユーザ）１人に対して、携帯端末１台、パソコンｎ台とする。
【００２８】
図１を参照すると、監視用ＰＣ１０は、監視対象のＬＡＮ３０上に設置され、ウイルス監視機能１１を用いてＬＡＮ３０上のＰＣ２１、２２の状況を常時監視する。
【００２９】
ＬＡＮ３０上のＰＣ２１、２２の少なくともいずれか１つに、ウイルス（Ｖ）が存在した場合、ウイルス感染のＰＣの存在を、監視用ＰＣ１０が認識する。
【００３０】
次に、図２を参照して、本発明の一実施例におけるウイルス警告の動作について説明する。ウイルス感染を認識した監視用ＰＣ１０は、警告メッセージ作成／発信機能１２を用いて、警告メッセージを自動作成する。警告メッセージには、例えば、ウイルス感染した端末情報を含む。
【００３１】
警告メッセージは、監視用ＰＣ１０より、監視対象ＰＣ２１、２２の管理者であるＸとＹがそれぞれ所持する携帯端末５１、５２に、公衆回線網４０、すなわち、公衆回線網及び移動体通信網を介して配信される。監視用ＰＣ１０は、ＬＡＮインタフェースとは別に、公衆回線網との通信インタフェースを有し、ＰＳＴＮ／ＩＳＤＮ等の公衆電話網、移動体パケット通信網を介し、警告メッセージを携帯端末５１、５２にデータ通信で送信してもよいし、あるいは、監視用ＰＣ１０は、公衆電話網、移動体通信網を介し、携帯端末５１、５２の電話番号に自動でダイヤル発信し、携帯端末５１、５２から着信応答を受けた場合、警告メッセージ（該メッセージを音声合成した音声ガイダンス）を音声チャネルで送信してもよい。携帯端末５１、５２は、既存の携帯電話機、ＰＨＳ（パーソナル・ハンディホン・システム）端末を用いてもよいし、移動体通信網に接続されるＰＤＡ（パーソナルデジタルアシスタンツ）等で構成してもよい。
【００３２】
警告メッセージを受信した管理者（Ｘ）は、管理対象のＰＣ２１からＬＡＮケーブル（不図示）を外し、ＰＣ２１をＬＡＮ３０から切り離す。また、警告メッセージを受信した管理者（Ｙ）は、管理対象のＰＣ２２からＬＡＮケーブル（不図示）を外し、ＰＣ２２をＬＡＮ３０から切り離す。
【００３３】
次に、図３を参照して、本発明の一実施例におけるウイルス通知の動作を説明する。監視用ＰＣ１０のウイルス予防／駆除情報発信機能１３は、ＰＣ２２が感染したウイルスを分析し、ウイルスの種類、ウイルスの予防策、ウイルスの駆除方法の少なくともいずれか一つの情報を取得した場合、これらの情報を基に、ウイルス通知メッセージを自動作成する。
【００３４】
監視用ＰＣ１０のウイルス予防／駆除情報発信機能１３は、ウイルス通知メッセージを、携帯端末５１、５２へ、公衆回線網４０を介して配信される。ウイルス通知メッセージは、警告メッセージと同様、監視用ＰＣ１０から公衆回線網４０を介して携帯端末５１、５２にデータ送信してもよいし、あるいは音声で送信してもよい。
【００３５】
管理者（Ｘ）は、携帯端末５１に通知されるメッセージの情報を得、管理対象のＰＣ２１に対し、ウイルスチェックやウイルス予防を行う。同様に、管理者（Ｙ）は、携帯端末５２に通知されるメッセージの情報を得て、管理対象のＰＣ２２に対し、ウイルスチェックやウイルス予防を行う。このとき、ＰＣ２２にウイルス（Ｖ）の存在を発見し、ウイルス駆除の情報を得て、ウイルス駆除を行う。
【００３６】
上記操作は、ＰＣ２２を、ＬＡＮ３０から切り離した状態で行われ、安全を確認したうえ、ＬＡＮ３０に接続する。なお、ＬＡＮは有線ＬＡＮであっても無線ＬＡＮであってもよい。
【００３７】
以下、本願出願時未公開の上記先行出願（特願２００２−２４３４６９号）と本発明との相違点について説明しておく。本願出願時未公開の上記先行出願（特願２００２−２４３４６９号）では、ウイルス発生端末のユーザへの早期通知と早期駆除を目的としている。これに対し、本発明は、ウイルス感染端末、ウイルス未感染端末等、監視対象端末のユーザ（管理者）全員の携帯端末への早期情報通知を行い、ウイルス発生前の未感染の端末への予防を行うものである。
【００３８】
上記先行出願（特願２００２−２４３４６９号）では、ウイルス発生後のウイルス発生端末に対する遠隔制御による対処を主題としており、これに対して、本発明は、ウイルス感染の警告／通知を主題とし、警告／通知はＬＡＮ等のコンピュータネットワークとは分離された通信ネットワークを介して携帯端末に対して行われる（監視端末と携帯端末との間の情報のやり取りは一方向）。
【００３９】
上記先行出願（特願２００２−２４３４６９号）では、サーバの遠隔制御部からのウイルス発生端末に対応するユーザ携帯端末に送信されるウイルス検出メールとウイルス処理選択用Ｗｅｂページが情報として送られ、ユーザはユーザ携帯端末から処置を選択して遠隔制御部に通知している（サーバとユーザ携帯端末との間の情報のやり取りは双方向）。上記先行出願（特願２００２−２４３４６９号）では、ウイルス感染端末のユーザが遠隔にいながらユーザ端末のウイルスを駆除することができる。一方、本発明では、警告メッセージを第１報とし、第２報をウイルス情報とし、監視端末から、携帯端末へ２段階で一方的に通知している。本発明によれば、ウイルスに未感染の端末のユーザは、警告の通知を受けて早期にウイルスを駆除できるほか、ウイルスに未感染の端末のユーザは、ウイルス情報を得て、早期に対策を講じることができ、ウイルスに未感染の端末の、ウイルス感染の予防を促進することができる。
【００４０】
以上本発明を上記実施例に即して説明したが、本発明は上記実施例に限定されるものでなく、特許請求の範囲の各請求項の発明の範囲内で当業者であればなし得るであろう各種変形、修正を含むことは勿論である。
【００４１】
【発明の効果】
以上説明したように、本発明によれば、ウイルス監視端末に携帯端末への通知機能を具備し、ウイルス検出時、携帯端末に通知することで、ウイルス感染の早期、かつ安全な通知を実現することができる。
【００４２】
本発明においては、ウイルスの感染対象となる端末自体が、警告／通知の媒体ではなく、コンピュータネットワークとは別の通信ネットワークで、ウイルスに感染したＰＣの存在を連絡する構成とし、端末をコンピュータネットワークから切り離した状態でウイルスチェックやウイルス駆除を行うことができる。このため、コンピュータネットワーク上の他端末からの感染を未然に防ぐとともに、他端末へのウイルス感染源となることを未然に防ぐことができ、ウイルスの感染による被害の広がりを、安全に防止することができる。
【００４３】
本発明によれば、警告／通知の手段として、携帯端末を利用しており、早期に多くの端末管理者（ユーザ）に通知することができ、各端末の管理者が早期にウイルス対策の行動をおこすことができる。このため、ウイルスの感染による被害の広がりを、早期に防止できる。
【図面の簡単な説明】
【図１】本発明の一実施例におけるウイルス監視の動作の一例を説明するための図である。
【図２】本発明の一実施例におけるウイルス警告の動作の一例を説明するための図である。
【図３】本発明の一実施例におけるウイルス通知動作の一例を説明するための図である。
【符号の説明】
１０  監視用ＰＣ
１１  ウイルス監視機能
１２  警告メッセージ作成／発信機能
１３  ウイルス予防／駆除情報発信機能
２１、２２  ＰＣ
３０  ＬＡＮ
４０  公衆回線網
５１、５２  携帯端末
【図１】
2004164270.tif 000003
【図２】
2004164270.tif 000004
【図３】
2004164270.tif 000005